(57)【要約】【課題】本発明は、誤操作を防止する事により、撮影者に誤操作無く操作性の良い操作ボタン装置を提供する事を目的とする。【解決手段】カメラ筐体に複数の操作ボタン類を備えた電子機器装置であって、前記カメラ筐体に形成される開口穴に前記操作ボタンが該カメラ筐体面より摺動可能に突出して取り付けられ、該操作ボタンの突出する側面を覆う該カメラ筐体に形成される開口穴周縁に沿って形成される土手形状高さが該操作ボタンの略半周の範囲で土手形状に段差をつけている構成とした。【選択図】        図１
2006276395.tif 000002
【特許請求の範囲】
【請求項１】
カメラ筐体に複数の操作ボタン類を備えた電子機器装置であって、前記カメラ筐体に形成される開口穴に前記操作ボタンが該カメラ筐体面より摺動可能に突出して取り付けられ、該操作ボタンの突出する側面を覆う該カメラ筐体に形成される開口穴周縁に沿って形成される土手形状高さが該操作ボタンの略半周の範囲で土手形状に段差をつけている事を特徴とするカメラの操作ボタン装置。
【請求項２】
請求項１に記載のカメラの操作ボタン装置において、前記操作ボタンはカメラ筐体のグリップ部に配置された事を特徴とするカメラの操作ボタン装置。
【発明の詳細な説明】
【技術分野】
【０００１】
本発明は、撮像装置並びに電子機器の操作ボタン装置に関するものである。
【背景技術】
【０００２】
従来デジタルカメラ等の電子機器においては、カメラ筐体の背面側にＬＣＤ液晶などを配置している物が主流となっている。
【０００３】
また最近ではカメラ筐体が小型化していく反面ＬＣＤ液晶の大型化が市場に求められている。さらにカメラ機能も多機能化する事によって操作ボタンの数も多くなっている。
【０００４】
また扁平縦長の直方体状に形成されたカメラボディの背面右端又は左端のいずれか一方にグリップ部が形成され、他方側に画像ディスプレイと文字ディスプレイとが配設され、画像ディスプレイを上側にして縦列配置され、該画像ディスプレイと文字ディスプレイの下側及び／又は前記グリップ部側に前記操作ボタンが配置されたものがある（例えば、特許文献１参照）。
【特許文献１】特開２００４−２９７２６３号公報（第１１頁、図２）
【発明の開示】
【発明が解決しようとする課題】
【０００５】
前述した従来の様な構成であるとＬＣＤ液晶が大型化していくと操作ボタンの配置がカメラ撮影時にホールディングするグリップ側に置かざる得ない為、カメラ撮影時にグリップする時に操作ボタンを押してしまう危険性があった。
【０００６】
また逆にカメラ撮影時に押さない様にボタンの高さをカメラ筐体面より低くした場合、いざ操作ボタンを使用したい時に押しづらくなり操作感を損ねる等の問題があった。
【０００７】
また上述の問題を改善させる特許文献１における構成では、ＬＣＤ液晶と情報表示用ＬＣＤを上下に配置し、そのＬＣＤ液晶下部に操作ボタンを配置している為、カメラ自体の高さが高くなりやすく小型化出来ないと言う問題がある。
【０００８】
またグリップ側に操作ボタンが置かれた場合に於いては、カメラ撮影時にグリップする時に操作ボタンを押してしまう問題もある。
【０００９】
本発明は、誤操作を防止する事により、撮影者に誤操作無く操作性の良い操作ボタン装置を提供する事を目的とする。
【課題を解決するための手段】
【００１０】
請求項１に記載のカメラの操作ボタン装置に於いて、カメラ筐体に複数の操作ボタン類を備えた電子機器装置であって、前記カメラ筐体に形成される開口穴に前記操作ボタンが該カメラ筐体面より摺動可能に突出して取り付けられ、該操作ボタンの突出する側面を覆う該カメラ筐体に形成される開口穴周縁に沿って形成される土手形状高さが該操作ボタンの略半周の範囲で土手形状に段差をつけている事を特徴とする。
【００１１】
請求項２に記載のカメラの操作ボタン装置に於いて、前記操作ボタンはカメラ筐体のグリップ部に配置された事を特徴とする。
【発明の効果】
【００１２】
本発明によれば、カメラ撮影時には誤操作を防止し、カメラ再生時及びカメラモード設定時には操作性を損なうことなく確実に操作性が向上する。
【発明を実施するための最良の形態】
【００１３】
以下、添付図面に従って本発明に係るカメラの操作ボタン装置の好ましい実施の形態について詳説する。
【実施例】
【００１４】
図１は本発明を適用した実施例の形態に係る背面カバーと操作ボタンを示す断面図、図２は本発明を適用した実施例の形態に係る背面カバーと操作ボタンを示す背面視図、図３は本発明を適用した実施例の形態に係る背面カバーの内部構成を示す斜視図、図４は本発明の実施例を示す電子スチルカメラの斜視図である。
【００１５】
まず図４に於いて、１は電子機器装置（本発明ではカメラを示す）の外装であるカメラ筐体、２は撮影光学系を構成している鏡筒、３は鏡筒２のズーム動作に連動して所定のズーム倍率が得られる様に位置が変動し被写体像を観察する為のファインダ或いはＬＣＤを配設させて構成させた電子ビューファインダ（本発明ではファインダ）、４は電源ボタン、５はレリーズボタン、６はカメラの撮影モードなどを変更する為のモードダイアル、７はポップアップ式のストロボが配設され、カメラ筐体１の図示しない背面部にはファインダ接眼部や液晶表示パネル、操作ボタン等が配設される。
【００１６】
尚本発明を適用した実施例の形態に係る背面カバーと操作ボタンは以下で説明する。
【００１７】
次に図３〜図４を絡めて本発明の背面カバーと操作ボタンの構成を説明する。
【００１８】
まずカメラ筐体１の内部を構成し、鏡筒２及びファインダ３を不図示のボス等の位置決め手段とビス等の係止手段で保持しているメインシャーシ２３にカメラの画像処理／システム処理の半導体等の電気素子を実装しカメラ動作させているメイン基板２２が不図示のボス等の位置決め手段とビス等の係止手段で保持されている。次に操作ボタンベースＡ１９と操作ボタンベースＢ２０が不図示のボス等の位置決め手段とビス等の係止手段で保持され、その上面に操作ボタンのクリックと電気的動作させるタクトスイッチ１８ａが実装されている操作ＦＰＣ１８が不図示のボス等の位置決め手段とビス或いは両面テープ等の係止手段で保持し、操作ＦＰＣ１８上に形成されている不図示のコンタクト接点部がメイン基板２２上に実装されている不図示のコネクターに接続され電気的導通がなされる。
【００１９】
本実施の形態では操作ボタンベースＡ１９と操作ボタンベースＢ２０を別体としているが、一体として構成しても良い。
【００２０】
次にボタンＡ９にボタンキャップ１０が接着等の係止手段で固定されて、ボタンＡ９に形成されている不図示の軸部に摺動可能な嵌合でバネＡ１１が配設され、さらにボタンＡ９上に形成されている不図示の軸先端に爪形状が形成されて、背面カバー８上に形成されている不図示の穴部にパッチン等の係止手段で摺動可能な嵌合で保持されている。
【００２１】
本実施の形態ではボタンキャップ１０に金属を使用して外観の化粧カバーとしているが、ボタンＡ９と一体に形成させて表面に塗装或いは印刷を施しても良い。
【００２２】
背面カバー８上に形成されている不図示の開口部に十字ボタン１２が摺動可能な嵌合で係止されており、十字ボタン１２上に形成されている不図示の軸に摺動可能な嵌合でバネＢ１３が配設され、その後方から十字ボタンホルダー１４で保持される。また十字ボタンホルダー１４は、背面カバー８上に形成される不図示のボス等の位置決め手段で係止され、溶着等の係止手段で保持される。
【００２３】
次にボタンＢ１６上に形成されている不図示の穴部にＬＥＤ窓Ｂ１７上に形成されている不図示の軸部が摺動可能な嵌合で係止し、接着等の係止手段で保持されている。またボタンＢ１６上に形成されている不図示の穴部と背面カバー８上に形成されている不図示の軸部とが摺動可能な嵌合で係止され、溶着等の係止手段で保持される。さらにＬＥＤ窓Ａ１５上に形成されている不図示の軸部と背面カバー８上に形成されている不図示の穴部が摺動可能な嵌合で係止し、接着等の係止手段で保持されている。
【００２４】
本実施の形態ではボタンＢ１６とＬＥＤ窓Ｂ１７を別体で構成させているが、ボタンＢ１６を透明の樹脂を使用する事によりＬＥＤ窓Ｂ１７と一体として、ＬＥＤの窓として使用する範囲以外を塗装或いは印刷を施しても良い。さらにＬＥＤ窓Ａ１５を一体に形成させても良い。
【００２５】
上記で説明したそれぞれの部材が組み込まれた背面カバー８は、不図示の正面カバー或いは側面カバーとメインシャーシ２２上に形成されている不図示のバーリング部でビス等の係止手段で固定される。
【００２６】
次に図１に図３〜図４を絡めて背面カバー形状と操作ボタンの作動を説明する。
【００２７】
ボタンＢ１６上に形成されている軸部１６ａと操作ＦＰＣ１８上に実装されているタクトスイッチ１８ａとがある程度のクリアランス寸法で保持されており、その状態からボタンＢ１６の外観側を押圧してやる事により軸部１６ａが下降しタクトスイッチ１８ａを押し電気的導通がなされ作動する。この他のボタンについても同様の構成となっている。
【００２８】
次に背面カバー８上に形成されている穴部の外周に形成されている土手面８ａはボタンＢ１６の外観表面高さと略同一高さの設定となっている。また土手面８ａのテーパーの起点８ｂはボタンＢ１６の略中心からの設定となっており、テーパーの終点８ｃはカメラ筐体１の外側に行くに従って低くなっている。
【００２９】
この土手面８ａとボタンＢ１６高さ設定によって、カメラ撮影のためホールディングする際には土手面８ａによってボタンが押圧されず、また再生モード或いはカメラ機能設定時は、カメラ筐体１の外側のテーパー部側を押圧する事で確実にボタンが作動する。
【００３０】
本発明の実施例では土手面８ａとボタンＢ１６の高さ関係は、略同一高さの設定としているが、ボタンＢ１６の形状によって土手面８ａの高さ関係を変えても本発明と同様の効果が得られる。
【００３１】
本発明の実施例では土手面８ａのテーパーの起点８ｂはボタンＢ１６の略中心からの設定としているが、ボタンＢ１６の形状によって土手面８ａのテーパーの起点８ｂを矢印Ａ方向に変えても本発明と同様の効果が得られる。
【００３２】
本発明の実施例では土手面８ａに形成されているテーパーは図１に示す断面図の方向に付けられているが、断面図の面直方向にテーパーをつけても良い。
【００３３】
本発明の実施例ではカメラをホールディングするグリップ部にボタンを配置しているが、それ以外のボタン位置でも本発明と同様の効果が得られる。
【００３４】
また、本発明は、１眼レフカメラ、レンズシャッタカメラ、ビデオカメラ、デジタルカメラ等種々の形態のカメラ、更にはカメラ以外の光学機器やその他の装置、更にはそれらカメラや光学機器やその他の装置に適用される装置又は、これらを構成する要素に対しても適用できるものである。
【図面の簡単な説明】
【００３５】
【図１】本発明を適用した実施例の形態に係る背面カバーと操作ボタンを示す断面図
【図２】本発明を適用した実施例の形態に係る背面カバーと操作ボタンを示す背面視図
【図３】本発明を適用した実施例の形態に係る背面カバーの内部構成を示す斜視図
【図４】本発明の実施例を示す電子スチルカメラの斜視図
【符号の説明】
【００３６】
１  カメラ筐体
２  鏡筒
３  ファインダ
４  電源ボタン
５  レリーズボタン
６  モードダイアル
７  ストロボ
８  背面カバー
９  ボタンＡ
１０  ボタンキャップ
１１  バネＡ
１２  十字ボタン
１３  バネＢ
１４  十字ボタンホルダー
１５  ＬＥＤ窓Ａ
１６  ボタンＢ
１７  ＬＥＤ窓Ｂ
１８  操作ＦＰＣ
１９  操作ボタンベースＡ
２０  操作ボタンベースＢ
２１  スライド部材Ｂ
２２  メイン基板
２３  メインシャーシ
【図１】
2006276395.tif 000003
【図２】
2006276395.tif 000004
【図３】
2006276395.tif 000005
【図４】
2006276395.tif 000006